(57)【要約】【課題】動作指示の入力を行うことが難しい過酷な状況下であっても、ユーザが動作指示を容易に入力することができる携帯機器および制御方法を提供する。【解決手段】被写体を撮像してこの被写体の画像データを生成する撮像部２０１と、画像データに対応する画像を表示する表示部２１０とを備えた撮像装置１において、撮像装置１が行う動作を指示する動作指示の入力を受け付けるタッチパネル２１１と、撮像装置が撮影を行う際の移動状態を判定する移動状態判定部２０５と、移動状態判定部２０５の判定結果に応じて、タッチパネル２１１が入力を受け付ける動作指示の内容を変更する撮影制御部２１５ｅと、を備える。【選択図】図３
2015130701.tif 000002
【特許請求の範囲】
【請求項１】
被写体を撮像して該被写体の画像データを生成する撮像部と、前記画像データに対応する画像を表示する表示部とを備えた携帯機器において、
当該携帯機器が行う動作を指示する動作指示の入力を受け付けるタッチパネルと、
当該携帯機器が撮影を行う際の移動状態を判定する移動状態判定部と、
前記移動状態判定部の判定結果に応じて、前記タッチパネルが入力を受け付ける前記動作指示の内容を変更する制御部と、
を備えたことを特徴とする携帯機器。
【請求項２】
被写体を撮像して該被写体の画像データを生成する撮像部と、前記画像データに対応する画像を表示する表示部とを備えた携帯機器において、
当該携帯機器が行う動作を指示する動作指示の入力を受け付けるタッチパネルと、
当該携帯機器が撮影を行う際の移動状態を判定する移動状態判定部と、
前記移動状態判定部の判定結果に応じて、前記タッチパネルが入力を受け付ける検出領域を変更する制御部と、
を備えたことを特徴とする携帯機器。
【請求項３】
前記制御部は、前記タッチパネルの入力を受け付ける検出領域を前記表示部の表示領域における右領域に設定することを特徴とする請求項２に記載の携帯機器。
【請求項４】
被写体を撮像して該被写体の画像データを生成する撮像部と、前記画像データに対応する画像を表示する表示部と、当該携帯機器が行う動作を指示する動作指示の入力を受け付けるタッチパネルと、を備えた携帯機器が実行する制御方法であって、
当該携帯機器が撮影を行う際の移動状態を判定する移動状態判定ステップと、
前記移動状態判定ステップの判定結果に応じて、前記タッチパネルが入力を受け付ける前記動作指示の内容を変更する制御ステップと、
を含むことを特徴とする制御方法。
【請求項５】
被写体を撮像して該被写体の画像データを生成する撮像部と、前記画像データに対応する画像を表示する表示部と、当該携帯機器が行う動作を指示する動作指示の入力を受け付けるタッチパネルと、を備えた携帯機器が実行する制御方法であって、
当該携帯機器が撮影を行う際の移動状態を判定する移動状態判定ステップと、
前記移動状態判定ステップの判定結果に応じて、前記タッチパネルが入力を受け付ける検出領域を変更する制御ステップと、
を含むことを特徴とする制御方法。
【発明の詳細な説明】
【技術分野】
【０００１】
本発明は、被写体を撮像して電子的な画像データを生成する携帯機器および制御方法に関する。
【背景技術】
【０００２】
近年、デジタルカメラや撮影機能を有する携帯電話等の携帯機器において、ズーム操作を自動化し、被写体が携帯機器から遠ざかったり近付いたりしても、被写体の大きさが一定になるように画角を一定に保つオートズーム機能の技術が知られている（特許文献１参照）。
【先行技術文献】
【特許文献】
【０００３】
【特許文献１】特開平９−１４９３１１号公報
【発明の概要】
【発明が解決しようとする課題】
【０００４】
ところで、従来の携帯機器は、ユーザが各種パラメータを設定する設定操作やズーム操作等の撮影に関連する操作等の動作指示を入力することが難しい状況下、特に移動しながら撮影を行う状況下では、撮影の構図を決めるフレーミング操作で手一杯になるため、所望の動作指示の入力を行うことが難しかった。
【０００５】
本発明は、上記に鑑みてなされたものであって、動作指示を入力することが難しい状況下であっても、ユーザが動作指示を容易に入力することができる携帯機器および制御方法を提供することを目的とする。
【課題を解決するための手段】
【０００６】
上述した課題を解決し、目的を達成するために、本発明にかかる携帯機器は、被写体を撮像して該被写体の画像データを生成する撮像部と、前記画像データに対応する画像を表示する表示部とを備えた携帯機器において、当該携帯機器が行う動作を指示する動作指示の入力を受け付ける入力部と、当該携帯機器が撮影を行う際の移動状態を判定する移動状態判定部と、前記移動状態判定部の判定結果に応じて、前記入力部が入力を受け付ける前記動作指示の内容を変更する制御部と、を備えたことを特徴とする。
【０００７】
また、本発明にかかる携帯機器は、上記発明において、前記移動状態判定部は、加速度センサを有し、前記移動状態判定部は、当該携帯機器の鉛直方向における加速度の変化の周期と、水平方向における加速度の変化の周期とがほぼ一致する場合、当該携帯機器が移動状態であると判定することを特徴とする。
【０００８】
また、本発明にかかる携帯機器は、上記発明において、前記表示部が表示する前記画像の表示態様を制御する表示制御部をさらに備え、前記表示制御部は、前記移動状態判定部の判定結果に応じて、当該携帯機器の移動状態においてユーザが選択可能な前記動作指示に関する情報を前記画像に重畳して前記表示部に表示させることを特徴とする。
【０００９】
また、本発明にかかる携帯機器は、上記発明において、前記入力部は、前記表示部の表示画面上に設けられ、外部から接触する物体の位置に応じた前記動作指示の入力を受け付けるタッチパネルを有し、前記制御部は、前記タッチパネルが入力を受け付ける領域を、前記表示部が表示する前記動作指示に関する情報の領域に設定することを特徴とする。
【００１０】
また、本発明にかかる携帯機器は、上記発明において、少なくともズームレンズを有し、所定の視野領域から光を集光して前記撮像部に結像する光学系と、前記ズームレンズを前記光学系の光軸上に沿って移動させるレンズ駆動部と、前記表示部が表示する前記画像内において前記被写体の大きさを一定にする固定領域を設定する領域設定部と、をさらに備え、前記制御部は、前記領域設定部が設定した前記固定領域の大きさになるように前記レンズ駆動部を駆動し、前記ズームレンズを前記光軸上で沿って移動させることを特徴とする。
【００１１】
また、本発明にかかる携帯機器は、上記発明において、前記動作指示には、少なくとも前記固定領域の設定を指示するオートズーム操作および当該携帯機器の動画撮影を指示する動画撮影操作が含まれることを特徴とする。
【００１２】
また、本発明にかかる携帯機器は、上記発明において、前記画像は、横長であり、前記移動状態判定部は、前記画像の横方向と当該携帯機器の水平方向とがほぼ等しい場合に当該携帯機器の移動状態を判定することを特徴とする。
【００１３】
また、本発明にかかるプログラムは、被写体を撮像して該被写体の画像データを生成する撮像部と、前記画像データに対応する画像を表示する表示部とを備えた携帯機器に、当該携帯機器が行う動作を指示する動作指示の入力を受け付ける入力ステップと、当該携帯機器が撮影を行う際の移動状態を判定する移動状態判定ステップと、前記移動状態判定ステップの判定結果に応じて、前記入力ステップで入力を受け付ける前記動作指示の内容を変更する制御ステップと、を実行させることを特徴とする。
【発明の効果】
【００１４】
本発明によれば、移動状態判定部が携帯機器によって撮影が行われる際に携帯機器の移動状態を判定し、撮影制御部が移動状態判定部の判定結果に応じて、携帯機器が行う動作を指示する動作指示の入力を受け付ける内容を変更する。この結果、動作指示の入力が難しい状況下であっても、ユーザが所望の動作指示を容易に入力することができるという効果を奏する。
【図面の簡単な説明】
【００１５】
【図１】図１は、本発明の実施の形態１にかかる撮像装置の被写体に面する側の構成を示す斜視図である。
【図２】図２は、本発明の実施の形態１にかかる撮像装置のユーザに面する側の構成を示す斜視図である。
【図３】図３は、本発明の実施の形態１にかかる撮像装置の構成を示すブロック図である。
【図４】図４は、本発明の実施の形態１にかかる撮像装置が備える移動状態判定部の一部をなす加速度センサの構成を示す図である。
【図５】図５は、本発明の実施の形態１にかかる撮像装置が備える移動状態判定部の構成を模式的に示す図である。
【図６】図６は、本発明の実施の形態１にかかる撮像装置を被写体に向けて移動させた場合に移動状態判定部の一部をなす加速度センサが検出する加速度の大きさの時間変化を示す図である。
【図７】図７は、本発明の実施の形態１にかかる撮像装置を用いて撮影を行う際に動作指示の入力を容易に行うことができる状況の一例を模式的に示す図である。
【図８】図８は、本発明の実施の形態１にかかる撮像装置を用いて撮影を行う際に動作指示の入力を行うことが難しい状況の一例を模式的に示す図である。
【図９】図９は、本発明の実施の形態１にかかる撮像装置を用いて行う際に動作指示の入力を行うことが難しい状況の別の一例を模式的に示す図である。
【図１０】図１０は、図８に示す状況下においてユーザが撮影を行う際に難しい動作指示の入力の一例を模式的に示す図である。
【図１１】図１１は、図８に示す状況下においてユーザが撮影を行う際に難しい動作指示の入力の一例を模式的に示す図である。
【図１２】図１２は、図８に示す状況下においてユーザが撮影を行う際に難しい動作指示の入力の一例を模式的に示す図である。
【図１３】図１３は、図８に示す状況下においてユーザが撮影を行う際に動作指示の入力が可能な一例を模式的に示す図である。
【図１４】図１４は、本発明の実施の形態１にかかる撮像装置を用いて移動する際の状況を模式的に示す図である。
【図１５】図１５は、図１４に示す状況下において被写体側から見た正面を模式的に示す図である。
【図１６】図１６は、図１４に示す状況下において移動状態判定部の一部をなす加速度センサが検出する加速度の大きさの変化を示す図である。
【図１７】図１７は、本発明の実施の形態１にかかる撮像装置が行う処理の概要を示すフローチャートである。
【図１８】図１８は、本発明の実施の形態１にかかる撮像装置が備える表示部が表示する画像の一例を示す図である。
【図１９】図１９は、本発明の実施の形態１にかかる撮像装置が備える表示部が表示する画像の一例を示す図である。
【図２０】図２０は、図１７に示した移動状態判定処理の概要を示すフローチャートである。
【図２１】図２１は、図１７に示すオートズーム処理の概要を示すフローチャートである。
【図２２】図２２は、撮像部の撮像面に形成される被写体像と光学系におけるズームレンズの移動量との関係を模式的に示す図である。
【図２３】図２３は、図９に示す状況下においてユーザが撮像装置を用いて被写体を追跡する際の状況を模式的に示す図である。
【図２４】図２４は、図２３に示す状況下において被写体側から見た正面の状態変化を模式的に示す図である。
【図２５】図２５は、図２３に示す状況下において移動状態判定部の一部をなす加速度センサが検出する加速度の大きさの変化を示す図である。
【図２６】図２６は、本発明の実施の形態２にかかる変形例において撮像装置を用いて被写体に並走しながら追跡して撮影を行う際の状況を模式的に示す図である。
【図２７】図２７は、本発明のその他の実施の形態にかかる撮像装置が備える表示部が表示する画像の一例を示す図である。
【発明を実施するための形態】
【００１６】
以下に、図面を参照して、本発明を実施するための形態（以下、「実施の形態」という）について説明する。なお、以下の説明においては、本発明にかかる携帯機器の一例として、デジタル一眼レフカメラ等の撮像装置を例示するが、この実施の形態によって本発明が限定されるものではない。また、図面の記載において、同一の部分には同一の符号を付している。
【００１７】
（実施の形態１）
図１は、本発明の実施の形態１にかかる撮像装置の被写体に面する側（前面側）の構成を示す斜視図である。図２は、本発明の実施の形態１にかかる撮像装置のユーザに面する側（背面側）の構成を示す斜視図である。図３は、本発明の実施の形態１にかかる撮像装置の構成を示すブロック図である。図１〜図３に示す撮像装置１は、本体部２と、本体部２に着脱自在なレンズ部３と、本体部２に着脱自在な接眼表示部（電子ビューファンダー）４と、を備える。
【００１８】
図１〜図３に示すように、本体部２は、撮像部２０１と、撮像駆動部２０２と、信号処理部２０３と、フラッシュ発光部２０４と、移動状態判定部２０５と、タイマー２０６と、第１通信部２０７と、第２通信部２０８と、操作入力部２０９と、表示部２１０と、タッチパネル２１１と、記憶部２１２と、電源部２１３と、電源供給部２１４と、制御部２１５と、を有する。
【００１９】
撮像部２０１は、レンズ部３が集光した光を受光して電気信号に変換するＣＣＤ（Charge  Coupled  Device）やＣＭＯＳ（Complementary  Metal  Oxide  Semiconductor）等の撮像素子と、シャッタとを用いて構成される。
【００２０】
撮像駆動部２０２は、レリーズ信号に応じて撮像素子およびシャッタを駆動させる機能を有する。たとえば、撮像駆動部２０２は、所定のタイミングで撮像部２０１の撮像素子から画像データ（アナログ信号）を信号処理部２０３に出力させる。
【００２１】
信号処理部２０３は、撮像部２０１から出力されるアナログ信号に増幅等の信号処理を施した後、Ａ／Ｄ変換を行うことによってデジタルの画像データを生成して出力する。
【００２２】
フラッシュ発光部２０４は、キセノンランプやＬＥＤ（Light  Emitting  Diode）等を用いて構成される。フラッシュ発光部２０４は、撮像装置１が撮像する視野領域へ向けて補助光であるストロボ光を照射する。
【００２３】
図４は、移動状態判定部２０５の一部をなす加速度センサの構成を示す図である。図４に示す加速度センサ１０は、ＭＥＭＳ（Micro  Electro  Mechanical  Systems）プロセスによって形成された静電容量型の加速度センサである。加速度センサ１０は、直方体状のチップ１１の主面の四隅付近に端部が固定された状態で架橋された梁構造を有する金属製の可動部１２と、チップ１１の主面であって可動部１２の端部が固定された主面上に設けられた金属性の二つの平板部１３と、を有する。可動部１２は、チップ１１の主面の同じ方向に沿ってそれぞれ帯状に延在し、両端部が固体された二つの延在部１２ａと、二つの延在部１２ａの中央部同士を延在部１２ａが延びる方向と直交する方向に沿って連結する帯状の連結部１２ｂと、連結部１２ｂの中央部から延在部１２ａが延びる方向と平行に帯状に突出する突出部１２ｃと、を有する。
【００２４】
以上の構成を有する加速度センサ１０は、図４の左右方向（矢印方向）の加速度が加わった場合、可動部１２が延在部１２ａの端部を除いて左右方向に撓んで変形する。このため、突出部１２ｃと平板部１３との位置関係が変化して静電容量が変換する。加速度センサ１０は、この静電容量の変化に基づく信号（電圧）を出力する。
【００２５】
図５は、撮像装置１における移動状態判定部２０５の構成を模式的に示す図である。図５に示すように、移動状態判定部２０５は、加速度の検出方向が互いに直交する三つの加速度センサ１０を有する。具体的には、撮像装置１に固有の座標系として、撮像装置１の幅方向と平行なｘ軸、撮像装置１の鉛直方向と平行なｙ軸、および撮像装置１の光軸と平行なｚ軸をとり、各軸方向の加速度成分をそれぞれ検出する三つの加速度センサ１０を撮像装置１の本体部２の所定の位置に取り付ける。
【００２６】
このような構成を有する移動状態判定部２０５によれば、ユーザが撮像装置１を被写体側（ｚ方向）に向けて移動させた場合、この移動によって生じる加速度を的確に検知することができる。さらに、ユーザが撮像装置１を用いて被写体を追跡する追跡状態も検知することができる。また、移動状態判定部２０５は、表示部２１０が表示する画像の横方向と撮像装置１の水平方向とがほぼ等しい場合に撮像装置１の移動状態を判定する。なお、移動状態判定部２０５は、手ブレの判定やこの判定に基づく画像の補正を行う場合に用いることもできる。
【００２７】
図６は、撮像装置１を被写体に向けて移動させた場合に移動状態判定部２０５の一部をなす加速度センサ１０が検出する加速度の大きさの時間変化を示す図である。図６において、曲線Ｌｚ１は、撮像装置１のｚ軸方向（図５を参照）の加速度の大きさの時間変化を示す。図６では、横軸が時間を示し、縦軸が加速度センサ１０によって検出される加速度の大きさを示す。また、図６では、撮像装置１が被写体に向けて進行する方向の加速度を正としている。
【００２８】
図６に示すように、撮像装置１のｚ軸方向の加速度の大きさは、ユーザが時点ｔ１で撮像装置１を被写体側に向けて移動を開始し、時点ｔ２で撮像装置１の移動を停止させた場合、パルス状の時間変化を示す（曲線Ｌｚ１を参照）。このように、移動状態判定部２０５は、撮像装置１が移動した場合、加速度の変化に従って、撮像装置１の移動を判定することができる。
【００２９】
タイマー２０６は、計時機能や撮影日時の判定機能を有する。タイマー２０６は、撮像された画像データに日時データを付加するため、制御部２１５に日時データを出力する。
【００３０】
第１通信部２０７は、本体部２に装着されたレンズ部３との通信を行うための通信インターフェースである。第２通信部２０８は、本体部２に装着される接眼表示部４との通信を行うための通信インターフェースである。なお、第２通信部２０８は、本体部２に装着されるアクセサリ、たとえばエレクトロニックフラッシュやマイク等と通信を行うこともできる。
【００３１】
操作入力部２０９は、図１および図２に示すように、撮像装置１の電源状態をオン状態またはオフ状態に切り換える電源スイッチ２０９ａと、静止画撮影の指示を与える静止画レリーズ信号を入力するレリーズスイッチ２０９ｂと、撮像装置１に設定された各種撮影モード切換の指示を与える切換信号を入力する撮影モード切換スイッチ２０９ｃと、ライブビュー画像が表示される表示先を表示部２１０または接眼表示部４に切換えの指示を与える切換信号を入力する表示切換スイッチ２０９ｄと、を有する。
【００３２】
表示部２１０は、液晶または有機ＥＬ（Electro  Luminescence）等からなる表示パネルを用いて実現される。表示部２１０は、画像データに対応する横長の画像を表示する。表示部２１０は、撮像装置１の動作指示に関する情報や撮影に関する撮影情報を表示する。
【００３３】
タッチパネル２１１は、表示部２１０の表示画面上に設けられる。タッチパネル２１１は、ユーザが表示部２１０で表示される情報に基づいて接触した位置を検出し、この検出した接触位置に応じて撮像装置１が行う動作を指示する動作指示の入力を受け付ける。一般に、タッチパネルとしては、抵抗膜方式、静電容量方式、光学方式等がある。本実施の形態では、いずれの方式のタッチパネルであっても適用可能である。
【００３４】
記憶部２１２は、撮像装置１の内部に固定的に設けられるフラッシュメモリやＤＲＡＭ（Dynamic  Random  Access  Memory）等の半導体メモリを用いて実現される。記憶部２１２は、撮像装置１を動作させるための各種プログラム、本実施の形態１にかかるプログラムおよびプログラムの実行中に使用される各種データやパラメータ等を記憶する。記憶部２１２は、画像データに含まれる被写体の特徴部を記憶する特徴記憶部２１２ａを有する。また、記憶部２１２は、画像データを記憶するとともに、本体部２に装着可能なレンズ部３の情報やレンズ部３の種類に応じた画像データの補正情報等の情報を記憶する。なお、記憶部２１２が、外部から装着されるメモリカード等のコンピュータで読取可能な記憶媒体を含むものであってもよい。
【００３５】
電源部２１３は、撮像装置１に着脱自在なバッテリを用いて構成される。電源供給部２１４は、撮像装置１の各構成部（装着されるレンズ部３および接眼表示部４も含む）に対して電源部２１３の電力を供給する。なお、電源供給部２１４は、外部電源（図示せず）から供給される電量を撮像装置１の各構成部に供給するようにしてもよい。
【００３６】
制御部２１５は、ＣＰＵ（Central  Processing  Unit）等を用いて構成される。制御部２１５は、操作入力部２０９やタッチパネル２１１からの指示信号や切換信号等に応じて撮像装置１を構成する各部に対応する指示やデータの転送等を行って撮像装置１の動作を統括的に制御する。制御部２１５は、画像処理部２１５ａと、顔検出部２１５ｂと、領域設定部２１５ｃと、電子ズーム部２１５ｄと、撮影制御部２１５ｅと、表示制御部２１５ｆと、を有する。
【００３７】
画像処理部２１５ａは、信号処理部２０３から入力される画像データに対して各種の画像処理を施して記憶部２１２に出力する。具体的には、画像処理部２１５ａは、画像データに対して、少なくともエッジ強調、ホワイトバランス、色補正およびγ補正を含む画像処理を行う。
【００３８】
顔検出部２１５ｂは、画像データに対応する画像に含まれる人物の顔をパターンマッチングによって検出する。なお、顔検出部２１５ｂは、人物の顔だけでなく、犬や猫等の顔を検出してもよい。さらに、顔検出部２１５ｂは、パターンマッチング以外の周知技術を用いて人物の顔を検出してもよい。
【００３９】
領域設定部２１５ｃは、操作入力部２０９またはタッチパネル２１１からオートズームを指示する指示信号が入力された場合、表示部２１０が表示する画像内において、撮像装置１と被写体との距離によらず、大きさを一定にする固定領域を設定する。たとえば、領域設定部２１５ｃは、顔検出部２１５ｂが検出した人物の顔領域に、所定の係数（たとえば１．５倍）を乗じた領域をオートズームで追尾する領域として設定する。さらに、領域設定部２１５ｃは、表示部２１０で表示する画像内でレンズ部３のピントが合った領域を固定領域として設定してもよい。
【００４０】
電子ズーム部２１５ｄは、画像データに対応する画像内の一部をトリミングし、トリミングした画像を拡大する。具体的には、電子ズーム部２１５ｄは、タッチパネル２１１から入力されるズーム倍率を指示する指示信号に応じて画像の領域をトリミングし、トリミングした画像を拡大することによって電子ズームを行う。
【００４１】
撮影制御部２１５ｅは、静止画レリーズ信号が入力された場合、撮像装置１における静止画撮影動作を開始する制御を行う。ここで、撮像装置１における静止画撮影動作とは、撮像駆動部２０２の駆動によって撮像部２０１が出力した画像データに対し、信号処理部２０３および画像処理部２１５ａが所定の処理を施す動作をいう。このようにして処理が施された画像データは、撮影制御部２１５ｅによって記憶部２１２に記憶される。撮影制御部２１５ｅは、移動状態判定部２０５の判定結果に応じて、タッチパネル２１１が入力を受け付ける動作指示の内容を変更する。具体的には、撮影制御部２１５ｅは、移動状態判定部２０５によって撮像装置１が移動状態であると判定された場合、タッチパネル２１１が受け付ける動作指示を、撮像装置１の初期状態においてユーザが選択可能な第１の動作指示の内容から撮像装置１の移動状態においてユーザが選択可能な第２の動作指示の内容に設定する。
【００４２】
また、撮影制御部２１５ｅは、移動状態判定部２０５によって撮像装置１が移動状態であると判定された場合、タッチパネル２１１が入力を受け付ける領域を所定領域、たとえば右領域のみに設定する。ここで、初期状態とは、撮像装置１の撮影モードにおいて最初に表示部２１０が動作指示に関する情報を表示する状態である。なお、撮影制御部２１５ｅは、タッチパネル２１１が入力を受け付ける動作指示の内容を変更していたが、メカスイッチ、たとえば表示切換スイッチ２０９ｄが受け付ける操作と撮像装置１の動作の対応関係を変更するようにしてもよい。
【００４３】
表示制御部２１５ｆは、撮像装置１が撮影を行う際に、撮像装置１の動作を指示する動作指示に関する情報をアイコンとして表示部２１０に表示させる。表示制御部２１５ｆは、撮像装置１が移動状態の際に、表示部２１０に対して第２の動作指示の内容に対応するアイコンを、タッチパネル２１１において入力の受け付けが可能な領域、たとえば右領域に表示させる。なお、表示制御部２１５ｆは、顔検出部２１５ｂが検出した人物の顔を含む領域に対応するフレームやレンズ部３のピントが合った領域に対応するフレームを画像に重畳して表示部２１０に表示させる。
【００４４】
以上の構成を有する本体部２に対して、音声入出力機能や、インターネットを介して外部のパーソナルコンピュータ（図示せず）と双方向に通信を行う通信機能等を具備させてもよい。
【００４５】
レンズ部３は、光学系３０１と、レンズ駆動部３０２と、絞り駆動部３０３と、レンズ操作部３０４と、レンズ記憶部３０５と、レンズ通信部３０６と、レンズ制御部３０７と、を備える。
【００４６】
光学系３０１は、一または複数のレンズを用いて構成される。光学系３０１は、所定の視野領域から光を集光し、この集光した光を撮像部２０１に結像する。光学系３０１は、光学系３０１の焦点距離を変更することにより、光学系３０１の画角を変更するズームレンズ３０１ａと、光学系３０１が集光した光の入射量を制限することにより露出の調整を行う絞り機構３０１ｂと、を有する。
【００４７】
レンズ駆動部３０２は、ステッピングモータやＤＣモータ等を用いて構成される。レンズ駆動部３０２は、光学系３０１のレンズを光軸上で移動させることにより、光学系３０１のピント位置や焦点距離等の変更を行う。具体的には、レンズ駆動部３０２は、ズームレンズ３０１ａを光軸上に沿って移動させることにより、光学系３０１の焦点距離の変更を行う。
【００４８】
絞り駆動部３０３は、ステッピングモータ等を用いて構成される。絞り駆動部３０３は、絞り機構３０１ｂを駆動することにより、撮像部２０１に入射する光の光量を調整する。
【００４９】
レンズ操作部３０４は、レンズ部３のレンズ鏡筒の周囲に設けられるズームリングやピントリングであり、光学系３０１内のレンズを操作する信号が入力される。なお、レンズ操作部３０４は、プッシュ式のスイッチ等であってもよい。
【００５０】
レンズ記憶部３０５は、光学系３０１のズームレンズ３０１ａ等の位置や動きを決定するための制御用プログラムを記憶する。レンズ記憶部３０５は、ズームレンズ３０１ａの倍率、焦点距離、収差およびＦ値（明るさＮｏ）等を記憶する。
【００５１】
レンズ通信部３０６は、レンズ部３が本体部２に装着されたときに、本体部２の第１通信部２０７と通信を行うための通信インターフェースである。
【００５２】
レンズ制御部３０７は、ＣＰＵ（Central  Processing  Unit）等を用いて構成される。レンズ制御部３０７は、本体部２からの指示信号に応じてレンズ部３の動作を制御する。
【００５３】
接眼表示部４は、液晶または有機ＥＬ（Electro  Luminescence）等からなる表示パネルを用いて実現される。接眼表示部４は、画像データに対応するライブビュー画像を表示する。接眼表示部４は、動作指示または撮影状況に関する情報をライブビュー画像に重畳して表示する。接眼表示部４は、本体部２に装着されたときに、本体部２の第２通信部２０８と通信を行う接眼通信部４０１を有する。
【００５４】
以上の構成を有する撮像装置１において、ユーザが撮像装置１を用いて撮影を行う際に動作指示の入力を行うことが難しい状況について説明する。図７は、撮像装置１を用いて撮影を行う際に動作指示の入力を容易に行うことができる状況の一例を模式的に示す図である。図８は、撮像装置１を用いて撮影を行う際に動作指示の入力を行うことが難しい過酷な状況の一例を模式的に示す図である。図９は、撮像装置１を用いて行う際に動作指示の入力を行うことが難しい状況の別の一例を模式的に示す図である。
【００５５】
図７に示すように、ユーザが動作指示の入力を行うことが容易な状況、たとえば、ユーザが停止した状態で撮影を行う状況では、撮影時の手ブレを防止するため、右手で本体部２を保持しながら右手の人差し指をレリーズスイッチ２０９ｂに添える一方、左手でレンズ部３を支えつつ左手の親指と中指でレンズ操作部３０４を操作することができる。さらに、ユーザは、接眼表示部４を覗きながら所望の動作指示の入力、たとえば、レンズ操作部３０４を操作するズーム操作等を行って撮影の構図を決めることができる。
【００５６】
これに対して、図８に示すように、ユーザが荷物を持ちながら歩いて撮影をする場合のように、ユーザが右手でしか動作指示の入力を行うことができない状況では、レリーズスイッチ２０９ｂを操作する撮影操作しか行う余裕がない。さらに、接眼表示部４を覗き込む余裕もない。この場合、ユーザは、表示部２１０で表示されるライブビュー画像を見ることで視野領域の拡大を図らなければならない。
【００５７】
また、図９に示すように、ユーザがスキーなどで滑降しながら被写体を追跡して撮影を行う場合も、雪面で転倒しないために的確なバランスを取る必要があるため、片手での撮影を強いられるうえ、接眼表示部４を覗き込む余裕がない。
【００５８】
このように、上述した状況において、ユーザが撮像装置１を用いて撮影を行う際に動作指示の入力が難しい操作について詳細に説明する。図１０〜図１２は、図８に示す状況においてユーザが撮影を行う際に動作指示の入力が難しい操作の一例を模式的に示す図である。図１３は、図８に示す状況下においてユーザが撮影を行う際に動作指示の入力が可能な操作の一例を模式的に示す図である。
【００５９】
図１０および図１１に示すように、右手で撮像装置１を支えながらタッチパネル２１１に対して左手でタッチするタッチ操作、またはタッチパネル２１１の複数個所にタッチして拡大表示させるマルチタッチ操作等は、ユーザが歩きながら撮影を行う際には非常に難しい操作である。さらに、図１２に示すように、被写体のシャッタチャンスを逃すことを防止するため、ユーザが右手の人差し指でレリーズスイッチ２０９ｂをいつでも押せるようにした状況下では、撮影モード切換スイッチ２０９ｃを操作する切換操作、または表示部２１０から視線を移して操作しなければならないズーム操作等は、非常に難しい操作である。
【００６０】
これに対して、図１３に示すように、ユーザが右手の人差し指でレリーズスイッチ２０９ｂをいつでも押せるようにした状況では、タッチパネル２１１に対して右手の親指によるタッチ操作やスライド操作を行うことができる。そこで、本実施の形態１では、撮影制御部２１５ｅが移動状態判定部２０５の判定結果に応じて、タッチパネル２１１が入力を受け付ける領域を変更する。具体的には、撮影制御部２１５ｅは、移動状態判定部２０５によって撮像装置１が移動状態であると判定された場合、タッチパネル２１１が入力を受け付ける領域を右領域のみに設定する。さらに、表示制御部２１５ｆは、表示部２１０が表示する動作指示に関するアイコンの内容を、撮像装置１の初期状態においてユーザが選択可能な第１の動作指示から撮像装置１の移動状態においてユーザが選択可能な第２の動作指示に切換える。これにより、ユーザは、移動しながらの撮影または被写体を追跡しながらの撮影を行う状況下であっても、動作指示の入力を行うことができる。ここで、右領域とは、表示部２１０の表示領域を略半分の右側の領域である。具体的には、ユーザが右手の人差し指でレリーズスイッチ２０９ｂに添えた状態で右手の親指がタッチパネル２１１に対してタッチできる範囲である。
【００６１】
つぎに、移動状態判定部２０５が撮像装置１の移動状態を判定する判定方法について説明する。図１４は、ユーザが撮像装置１を用いて移動する際の状況を模式的に示す図である。図１５は、図１４に示す状況下において被写体側から見た正面を模式的に示す図である。図１６は、図１４に示す状況下において移動状態判定部２０５の一部をなす加速度センサ１０が検出する加速度の大きさの変化を示す図である。なお、図１６において、縦軸が加速度の大きさａを示し、横軸が時間ｔを示す。さらに、曲線Ｌｙ２がｙ軸方向の上向きを正とした際のｙ軸方向の加速度センサが検出する加速度の大きさａを示し、曲線Ｌｚ２がｚ軸の進行方向を正とした際のｚ軸方向の加速度センサが検出する加速度の大きさａを示す。また、時点ｔａ〜時点ｔｅは、図１４の時点ｔａ〜時点ｔｅそれぞれに対応する。
【００６２】
図１４および図１５に示すように、撮像装置１は、ユーザの移動に伴う足の動き（図１４では、踏み出した状態の足を斜線にて表現）に応じて、上下（鉛直方向）に大きく揺れる。この上下の動きに応じて、ｙ軸方向の加速度（曲線ｙ２を参照）は、周期的にほぼ一定の変化を有する波長となって加速度センサ１０に検出される。さらに、撮像装置１は、ユーザが足を踏み込んだときに大きく前に移動する。この前に移動する動きに応じて、ｚ軸方向の加速度（曲線ｚ２を参照）も、周期的にほぼ一定の変化を有する波長となって加速度センサ１０によって検出される。
【００６３】
そこで、本実施の形態１では、移動状態判定部２０５は、撮像装置１が撮影を行う際に、撮像装置１の鉛直方向（ｙ軸方向）における加速度の変化の周期と、水平方向（ｚ軸）における加速度の変化の周期とがほぼ一致する場合、撮像装置１が移動状態（追跡状態）であると判定する。また、移動状態判定部２０５が判定する鉛直方向および水平方向それぞれの加速度の変化の周期としては、１秒程度であればよい。また、移動状態判定部２０５は、撮像装置１の鉛直方向（ｙ軸方向）における加速度の変化率と、水平方向（ｚ軸）における加速度の変化率とがほぼ一致する場合、撮像装置１が移動状態（追跡状態）であると判定してもよい。さらに、移動状態判定部２０５は、ユーザの歩行、滑降または滑走等の状態を判定し、この判定結果と、ユーザによる撮像装置１の構え方等とに基づいて、追跡撮影または並走撮影を行う状態であるか否かを判定してもよい。また、移動状態判定部２０５は、移動状態を加速度センサ１０によって検出される加速度により判定していたが、歩行、滑降または滑走に伴う上下の変化による気圧によって判定、電子コンパスを用いて移動方向と撮像装置１を向けた方向の関係とにより判定、または画像のブレの周期性等を用いて判定してもよく、必ずしも加速度センサ１０が必要なわけではない。なお、図１６では、図１５に示すように、ユーザの移動に伴う左右方向（ｘ軸方向）の揺れは小さいため、ｘ軸方向の加速度の記載を省略した。
【００６４】
つぎに、以上の構成を有する撮像装置１が行う動作について説明する。図１７は、撮像装置１が行う処理の概要を示すフローチャートである。
【００６５】
図１７に示すように、まず、制御部２１５は、撮像装置１が撮影モードに設定されているか否かを判断する（ステップＳ１０１）。撮像装置１が撮影モードに設定されている場合（ステップＳ１０１：Ｙｅｓ）、撮像装置１は後述するステップＳ１０２へ移行する。一方、撮像装置１が撮影モードに設定されていない場合（ステップＳ１０１：Ｎｏ）、撮像装置１は後述するステップＳ１１７へ移行する。
【００６６】
ステップＳ１０１において、撮像装置１が撮影モードに設定されている場合（ステップＳ１０１：Ｙｅｓ）について説明する。この場合、表示制御部２１５ｆは、撮像部２０１が一定の微小な時間間隔で連続的に生成する画像データに対応するライブビュー画像を表示部２１０に表示させる（ステップＳ１０２）。
【００６７】
続いて、移動状態判定部２０５は、撮像装置１が撮影を行う際に、撮像装置１の移動状態を判定する移動判定処理を実行し（ステップＳ１０３）、撮像装置１はステップＳ１０４へ移行する。
【００６８】
ステップＳ１０４において、撮像装置１が移動中である場合（ステップＳ１０４：Ｙｅｓ）について説明する。この場合、表示制御部２１５ｆは、第２の動作指示に関する情報を表示部２１０に表示させる表示モード２に設定する（ステップＳ１０５）。具体的には、図１８に示すように、表示制御部２１５ｆは、第２の動作指示に関する情報としてアイコンＡ１，Ａ２をライブビュー画像に重畳して表示部２１０に表示させる。アイコンＡ１は、タッチパネル２１１を介して動画撮影の開始または停止の指示信号の入力を受け付けるアイコンである。アイコンＡ２は、タッチパネル２１１を介して画像内に含まれる被写体の大きさを一定に維持するオートズーム処理の開始または停止の指示信号の入力を受け付けるアイコンである。
【００６９】
続いて、撮影制御部２１５ｅは、タッチパネル２１１が入力を受け付ける検出領域を右領域に設定する（ステップＳ１０６）。これにより、ユーザは、右領域内で表示されるアイコンに基づいて、動作指示の入力を行うことができる。なお、撮影制御部２１５ｅがタッチパネル２１１に対して設定する検出領域は、適宜設定することができる。
【００７０】
その後、ユーザが表示部２１０の画面上で表示されるアイコンの領域内でタッチパネル２１１をタッチまたはレリーズスイッチ２０９ｂを操作する動作指示の入力があった場合（ステップＳ１０７：Ｙｅｓ）において、この動作指示がオートズーム操作のとき（ステップＳ１０８：Ｙｅｓ）、撮影制御部２１５ｅは、オートズーム処理を実行する（ステップＳ１０９）。その後、撮像装置１はステップＳ１１１へ移行する。これに対して、動作指示がオートズーム操作でない場合（ステップＳ１０８：Ｎｏ）、撮影制御部２１５ｅは、動作指示に応じた制御、たとえば静止画撮影動作や動画撮影動作を実行し（ステップＳ１１０：Ｙｅｓ）、撮像装置１はステップＳ１１１へ移行する。
【００７１】
ステップＳ１０７において、動作指示がない場合（ステップＳ１０７：Ｎｏ）、撮像装置１はステップＳ１１１へ移行する。
【００７２】
ステップＳ１１１において、電源スイッチ２０９ａが押された場合（ステップＳ１１１：Ｙｅｓ）、制御部２１５は、電源をオフする制御を行い（ステップＳ１１２）、一連の処理を終了する。
【００７３】
ステップＳ１１１において、電源スイッチ２０９ａが押されない場合（ステップＳ１１１：Ｎｏ）、撮像装置１はステップＳ１０１へ戻る。
【００７４】
ステップＳ１０４において、撮像装置１が移動中でない場合（ステップＳ１０４：Ｎｏ）について説明する。この場合、表示制御部２１５ｆは、第１の動作指示に関する情報を表示部２１０に表示させる表示モード１に設定する（ステップＳ１１３）。具体的には、図１９に示すように、表示制御部２１５ｆは、第１の動作指示に関する情報として複数の動作指示に関するアイコンＡ１１〜Ａ１７をライブビュー画像に重畳して表示部２１０に表示させる。
【００７５】
続いて、撮影制御部２１５ｅは、タッチパネル２１１が入力を受け付ける領域を全領域に設定する（ステップＳ１１４）。これにより、ユーザは、動作指示が容易な状況下においては、表示部２１０が表示するアイコンの領域においてタッチパネル２１１をタッチすることにより、所望の動作指示の入力を行うことができる。
【００７６】
その後、ユーザが表示部２１０の画面上で表示されるアイコンの領域内でタッチパネル２１１をタッチまたはレリーズスイッチ２０９ｂを操作する動作指示の入力があった場合（ステップＳ１１５：Ｙｅｓ）、撮影制御部２１５ｅは、動作指示に応じた制御を実行し（ステップＳ１１６）、撮像装置１はステップＳ１１１へ移行する。
【００７７】
つぎに、ステップＳ１０１において、撮像装置１が撮影モードに設定されていない場合（ステップＳ１０１：Ｎｏ）について説明する。この場合において、撮像装置１が再生モードに設定されているとき（ステップＳ１１７：Ｙｅｓ）、表示制御部２１５ｆは、表示部２１０にファイル一覧を表示させる（ステップＳ１１８）。
【００７８】
続いて、操作入力部２０９またはタッチパネル２１１を介して拡大して表示するファイルが選択された場合（ステップＳ１１９：Ｙｅｓ）、表示制御部２１５ｆは、選択されたファイルを表示部２１０に再生表示させる（ステップＳ１２０）。
【００７９】
その後、別の画像ファイルが新たに選択された場合（ステップＳ１２１：Ｙｅｓ）、撮像装置１はステップＳ１２０へ戻る。一方、別の画像ファイルが選択されていない場合（ステップＳ１２１：Ｎｏ）、撮像装置１はステップＳ１２２へ移行する。
【００８０】
ステップＳ１２１において、操作入力部２０９またはタッチパネル２１１によって画像再生の終了指示が入力された場合（ステップＳ１２２：Ｙｅｓ）、撮像装置１はステップＳ１１１へ移行する。これに対して、画像再生の終了指示が入力されていない場合（ステップＳ１２１：Ｎｏ）、撮像装置１はステップＳ１１８へ戻る。
【００８１】
ステップＳ１１７において、撮像装置１が再生モードに設定されていない場合（ステップＳ１１７：Ｎｏ）、撮像装置１はステップＳ１１１へ移行する。
【００８２】
つぎに、図１７に示したステップＳ１０３の移動状態判定処理について説明する。図２０は、図１７に示す移動状態判定処理の概要を示すフローチャートである。
【００８３】
図２０に示すように、まず、移動状態判定部２０５は、加速度センサ１０が検出する加速度の加速度データを記憶部２１２に記憶させる（ステップＳ２０１）。
【００８４】
続いて、移動状態判定部２０５は、記憶部２１２に過去１秒分の加速度データがある場合（ステップＳ２０２：Ｙｅｓ）において、ｙ軸方向の加速度の変化が周期的であり（ステップＳ２０３：Ｙｅｓ）、かつ、ｚ軸方向の加速度の変化が周期的であるとき（ステップＳ２０４：Ｙｅｓ）、撮像装置１が移動中であると判定する（ステップＳ２０５）。その後、撮像装置１は図１７に示したメインルーチンに戻る。
【００８５】
これに対して、移動状態判定部２０５は、記憶部２１２に過去１秒分の加速度データがない場合（ステップＳ２０２：Ｎｏ）、ｙ軸方向の加速度の変化が周期的でない場合（ステップＳ２０３：Ｎｏ）またはｚ軸方向の加速度の変化が周期的でない場合（ステップＳ２０４：Ｎｏ）、撮像装置１が移動中でないと判定する（ステップＳ２０６）。その後、撮像装置１は図１７に示したメインルーチンに戻る。
【００８６】
つぎに、図１７に示したステップＳ１０９のオートズーム処理について説明する、図２１は、図１７に示すオートズーム処理の概要を示すフローチャートである。
【００８７】
図２１に示すように、まず、領域設定部２１５ｃは、表示部２１０が表示する画像内に含まれる被写体の大きさを一定する固定領域として画像中央部のパターンを取得する（ステップＳ３０１）。具体的には、領域設定部２１５ｃは、後述するパターンマッチングで使用する画像中央部の領域内において被写体の特徴部を取得し、この取得した特徴部を記憶部２１２の特徴記憶部２１２ａに記憶させる。
【００８８】
続いて、撮影制御部２１５ｅは、領域設定部２１５ｃによって設定されたパターンが隣接する画像データのフレームにおいて類似パターンがあるか否かを判断する（ステップＳ３０２）。類似パターンがある場合（ステップＳ３０２：Ｙｅｓ）、撮像装置１は後述するステップＳ３０３に移行する。一方、類似パターンがない場合（ステップＳ３０２：Ｎｏ）、撮像装置１は後述するステップＳ３０５に移行する。
【００８９】
ステップＳ３０３において、撮影制御部２１５ｅは、類似パターンの大きさが縮小しているか否かを判断する。類似パターンの大きさが縮小している場合（ステップＳ３０３：Ｙｅｓ）、レンズ制御部３０７を介してレンズ駆動部３０２を駆動し、領域設定部２１５ｃによって設定された固定領域の大きさになるようにズームレンズ３０１ａを無限遠側に移動させる（ステップＳ３０４）。
【００９０】
図２２は、撮像部２０１の撮像面に形成される被写体像と光学系３０１におけるズームレンズの移動量との関係を模式的に示す図である。図２２に示すように、撮影制御部２１５ｅは、ズームレンズ３０１ａを光軸上に沿って無限遠側に移動させることにより、光学系３０１の焦点距離を長くする変更を行う。また、撮影制御部２１５ｅは、ズームレンズ３０１ａの移動に合わせてフォーカスレンズ（図示せず）等を光軸上で沿って移動させることにより、被写体Ｄｆに対してピントを調整する。これにより、被写体Ｄｆは、撮像装置１との距離が遠ざかっても、被写体Ｄｆが撮像装置１から遠ざかる前と同じ大きさで撮像部２０１の撮像面に被写体像（Ｄ１→Ｄ２）として形成される。このように、撮像装置１と被写体との距離が変化しても、被写体をほぼ一定の大きさで追跡しながら撮影を行うことができる。なお、撮影制御部２１５ｅは、電子ズーム部２１５ｄに電子ズームを実行させることで、被写体がほぼ一定の大きさになるように制御を行ってもよい。
【００９１】
ステップＳ３０５において、撮影制御部２１５ｅは、タッチパネル２１１からオートズーム操作を終了する指示信号が入力されたか否かを判断する。オートズーム操作を終了する指示信号が入力された場合（ステップＳ３０５：Ｙｅｓ）、撮像装置１は図１７に示したメインルーチンに戻る。一方、オートズーム操作を終了する指示信号が入力されていない場合（ステップＳ３０５：Ｎｏ）、撮像装置１はステップＳ３０２へ戻る。
【００９２】
ステップＳ３０３において、類似パターンの大きさが縮小していない場合（ステップＳ３０３：Ｎｏ）について説明する。この場合、撮影制御部２１５ｅは、類似パターンの大きさが拡大しているか否かを判断する（ステップＳ３０６）。類似パターンの大きさが拡大している場合（ステップＳ３０６：Ｙｅｓ）、レンズ制御部３０７を介してレンズ駆動部３０２を駆動し、領域設定部２１５ｃによって設定された固定領域の大きさになるようにズームレンズ３０１ａを最至近側に移動させる（ステップＳ３０７）。その後、撮像装置１はステップＳ３０５へ移行する。
【００９３】
ステップＳ３０６において、類似パターンの大きさが拡大してない場合（ステップＳ３０６：Ｎｏ）、撮像装置１はステップＳ３０５へ移行する。
【００９４】
以上説明した本実施の形態１によれば、撮影制御部２１５ｅが、移動状態判定部２０５によって撮像装置１が移動状態であると判定された場合、タッチパネル２１１が受け付ける動作指示の内容を変更する。これにより、ユーザは、動作指示の入力を行うことが難しい状況下であっても、動作指示を容易に入力することができる。
【００９５】
さらに、本実施の形態１によれば、移動状態判定部２０５が、撮像装置１の鉛直方向における加速度の変化の周期と、水平方向における加速度の変化の周期とがほぼ一致する場合、撮像装置１が移動状態であると判定する。この結果、撮像装置１が移動状態であれば、タッチパネル２１１が受け付ける動作指示の内容を、確実に第２の動作指示に切換えることができる。
【００９６】
さらにまた、本実施の形態１によれば、撮影制御部２１５ｅが、タッチパネル２１１からオートズーム操作を指示する指示信号が入力された場合、領域設定部２１５ｃによって設定された固定領域の大きさになるようにレンズ制御部３０７を介してレンズ駆動部３０２を駆動し、光学系３０１のズームレンズ３０１ａを光軸上に沿って移動させる。この結果、撮像装置１と被写体との距離が変化しても、その都度、ユーザがズーム操作を行うことなく、ほぼ一定の大きさで被写体を撮影することができる。
【００９７】
また、本実施の形態１によれば、移動状態判定部２０５は、撮像装置１が横向きの状態で移動状態を判定する。これにより、ユーザは、表示部２１０に対して大きな視野領域を確保した状態で撮影を行うことができる。
【００９８】
なお、本実施の形態１では、移動状態判定部２０５が、撮像装置１の鉛直方向における加速度の変化の周期と、水平方向における加速度の変化の周期とがほぼ一致する場合、撮像装置１が移動状態であると判定していたが、たとえば、鉛直方向および水平方向それぞれの加速度の大きさに対して閾値を設け、鉛直方向および水平方向それぞれの加速度の大きさが周期的に閾値を超えた場合、撮像装置１が移動状態であると判定するようにしてもよい。さらに、移動状態判定部２０５は、鉛直方向および水平方向それぞれの加速度の変化率が、周期的にほぼ一定の場合、撮像装置１が移動状態であると判定するようにしてもよい。
【００９９】
また、本実施の形態１では、移動状態判定部２０５は、検出方向が互いに直交する三つの加速度センサ１０を用いて撮像装置１の移動状態を判定したが、たとえば、隣接する画像データに含まれる被写体画像の変化率、顔検出部２１５ｂが検出する人物の顔が含まれる領域の変化率、隣接する画像データの一致度および被写体と撮像装置１との撮影距離の変化率等を用いて撮像装置１の移動状態を判定するようにしてもよい。
【０１００】
（実施の形態２）
つぎに、本発明の実施の形態２について説明する。なお、本発明の実施の形態２にかかる撮像装置１は、上述した実施の形態１にかかる撮像装置１と同様の構成を有し、移動状態判定部２０５が判定する状況下のみ異なる。このため、撮像装置１の構成については説明を省略する。
【０１０１】
図２３は、図９に示す状況下においてユーザが撮像装置１を用いて被写体を追跡する際の状況を模式的に示す図である。図２４は、図２３に示す状況下において被写体側から見た正面の状態変化を模式的に示す図である。図２５は、図２３に示す状況下において移動状態判定部２０５の一部をなす加速度センサ１０が検出する加速度の大きさの変化を示す図である。なお、図２５において、縦軸が加速度の大きさａを示し、横軸が時間ｔを示す。さらに、曲線Ｌｙ３がｙ軸方向の加速度センサが検出する加速度の大きさを示し、曲線Ｌｚ３がｚ軸方向の加速度センサが検出する加速度の大きさを示し、曲線Ｌｘ３がｘ軸方向の加速度センサが検出する加速度の大きさを示す。また、時点ｔａ〜時点ｔｃは、図２３の時点ｔａ〜時点ｔｃそれぞれに対応する。
【０１０２】
図２３および図２４に示すように、撮像装置１は、ユーザがスキーの滑降に伴う左右の体重移動（図２３では、体重がかかる状態の足を斜線にて表現）に応じて、鉛直方向（ｙ軸方向）および進行方向（ｚ軸方向）に大きく揺れる。この鉛直方向および進行方向の揺れに応じて、ｙ軸方向の加速度（曲線ｙ３を参照）およびｚ軸方向の加速度（曲線ｚ３を参照）は、周期的にほぼ一定の変化を有する波長となって加速度センサ１０に検出される。さらに、撮像装置１は、ユーザの滑降に伴う左右の体重移動に応じて、進行方向に対して左右（ｘ軸方向）方向に小さく揺れる。この左右の揺れに応じて、ｘ軸方向の加速度（曲線ｘ３を参照）も加速度センサ１０に検出する。
【０１０３】
このように、ユーザがスキーで滑降しながら被写体を追跡して撮影を行う場合、撮像装置１の鉛直方向（ｙ軸方向）における加速度の変化の周期と、進行方向（ｚ軸）における加速度の変化の周期とがほぼ一致する。そこで、本実施の形態２では、移動状態判定部２０５は、撮像装置１が撮影を行う際に、撮像装置１の鉛直方向（ｙ軸方向）における加速度の変化の周期と、水平方向（ｚ軸）における加速度の変化の周期とがほぼ一致する場合、撮像装置１が追跡状態（移動状態）であると判定する。
【０１０４】
以上説明した本実施の形態２によれば、上述した実施の形態１と同様に、動作指示の入力が難しい状況下であっても、ユーザが所望の操作を容易に行うことができる。
【０１０５】
なお、本実施の形態２では、被写体を後ろから追跡する状況下について説明したが、ユーザが被写体に並走しながら追跡して撮影を行う際にも適用することができる。図２６は、ユーザが撮像装置１を用いて被写体に並走しながら追跡して撮影を行う際の状況を模式的に示す図である。このような状況下において、撮像装置１は、鉛直方向（ｙ軸方向）および進行方向（ｘ軸方向）に大きく揺れる。この鉛直方向および進行方向の揺れに応じて、ｙ軸方向の加速度およびｘ軸方向の加速度は、周期的にほぼ一定の変化を有する波長となって加速度センサ１０に検出される。このように、移動状態判定部２０５は、ユーザが被写体に並走しながら追跡して撮影を行う際にも、撮像装置１が移動状態であるか否かを判定することができる。
【０１０６】
（その他の実施の形態）
また、上述した実施の形態１，２では、表示制御部２１５ｆが第２の撮像操作に関する情報としてオートズーム操作および動画撮影操作のアイコンを表示部２１０に表示させていたが、たとえば、図２７に示すように、第２の動作指示に関する情報として各撮像動作に関する情報をアイコンＡ２１〜Ａ２６として表示部２１０の右領域に表示させてもよい。さらに、表示制御部２１５ｆは、ユーザがタッチパネル２１１上で行うスライド操作に応じて、表示部２１０に表示されるアイコンＡ２１〜Ａ２６の位置を回転させながら変更するようにしてもよい。これにより、ユーザは、過酷な状況下であっても、タッチパネル２１１上でスライド操作を行うことにより、所望の動作指示の入力を行うことができる。
【０１０７】
また、上述した実施の形態１，２では、表示制御部２１５ｆが第２の撮像操作としてオートズーム操作および動画撮影操作に関する情報を表示部２１０に表示させていたが、第２の動作指示の内容を適宜変更することも可能である。たとえば、表示制御部２１５ｆが撮像装置１の初期状態において第１の動作指示に関する情報として表示部２１０に表示させるＭＥＮＵアイコンＡ１１（図１９を参照）を操作することにより、第２の動作指示の内容を変更するようにしてもよい。
【０１０８】
また、上述した実施の形態１，２では、レンズ部３が本体部２に着脱自在であったが、レンズ部３と本体部２とが一体的に形成されていてもよい。
【０１０９】
また、上述した実施の形態１，２では、携帯機器をデジタル一眼デジタルカメラとして説明していたが、たとえば、デジタルビデオカメラ、カメラ付き携帯電話やパーソナルコンピュータ等の撮影機能および表示機能を備えた各種電子機器に適用することができる。
【符号の説明】
【０１１０】
１            撮像装置
２            本体部
３            レンズ部
４            接眼表示部
１０          加速度センサ
２０１        撮像部
２０２        撮像駆動部
２０３        信号処理部
２０４        フラッシュ発光部
２０５        移動状態判定部
２０６        タイマー
２０７        第１通信部
２０８        第２通信部
２０９        操作入力部
２１０        表示部
２１１        タッチパネル
２１２        記憶部
２１２ａ        特徴記憶部
２１３        電源部
２１４        電源供給部
２１５        制御部
２１５ａ      画像処理部
２１５ｂ      顔検出部
２１５ｃ      領域設定部
２１５ｄ      電子ズーム部
２１５ｅ      撮影制御部
２１５ｆ      表示制御部
３０１        光学系
３０１ａ      ズームレンズ
３０１ｂ      絞り機構
３０２        レンズ駆動部
３０３        絞り駆動部
３０４        レンズ操作部
３０５        レンズ記憶部
３０６        レンズ通信部
３０７        レンズ制御部
４０１        接眼通信部
【図１】
2015130701.tif 000003
【図２】
2015130701.tif 000004
【図３】
2015130701.tif 000005
【図４】
2015130701.tif 000006
【図５】
2015130701.tif 000007
【図６】
2015130701.tif 000008
【図７】
2015130701.tif 000009
【図８】
2015130701.tif 000010
【図９】
2015130701.tif 000011
【図１０】
2015130701.tif 000012
【図１１】
2015130701.tif 000013
【図１２】
2015130701.tif 000014
【図１３】
2015130701.tif 000015
【図１４】
2015130701.tif 000016
【図１５】
2015130701.tif 000017
【図１６】
2015130701.tif 000018
【図１７】
2015130701.tif 000019
【図１８】
2015130701.tif 000020
【図１９】
2015130701.tif 000021
【図２０】
2015130701.tif 000022
【図２１】
2015130701.tif 000023
【図２２】
2015130701.tif 000024
【図２３】
2015130701.tif 000025
【図２４】
2015130701.tif 000026
【図２５】
2015130701.tif 000027
【図２６】
2015130701.tif 000028
【図２７】
2015130701.tif 000029